(57)【要約】【課題】プラスイオンに帯電している塵埃等を、床ノズルに吸い込み、清掃することができる掃除機用床ノズルの回転ロータを提供する。【解決手段】床面に付着している塵埃を吸引する為の掃除機用床ノズルの回転ロータにおいて、前記回転ロータは、ブラシ、起毛布あるいはブレードからなる清掃体、回転軸、及びブラケットより形成されてあると共に、前記清掃体、前記回転軸、及び前記ブラケットのいずれかの材料に、貴陽石（商標出願中）の粉体が練り込んで使用されてあるものである。【選択図】　　　　図３
2004121795.tif 000002
【特許請求の範囲】
【請求項１】
床面に付着している塵埃を吸引する為の掃除機用床ノズルの回転ロータにおいて、前記回転ロータは、ブラシ、起毛布あるいはブレードからなる清掃体、回転軸、及びブラケットより形成されてあると共に、前記清掃体、前記回転軸、及び前記ブラケットのいずれかの材料に、貴陽石（商標出願中）の粉体が練り込んで使用されてあることを特徴とする掃除機用床ノズルの回転ロータ。
【請求項２】
請求項１記載の構成よりなる掃除機用床ノズルの回転ロータにおいて、前記清掃体、前記回転軸、及び前記ブラケットのいずれかの表面に、貴陽石（商標出願中）の粉体を混入させた塗装皮膜あるいはコーティング皮膜が形成されてあることを特徴とする掃除機用床ノズルの回転ロータ。
【請求項３】
請求項１あるいは２記載の構成よりなる掃除機用床ノズルの回転ロータにおいて、前記回転軸の材料に、樹脂あるいはアルミ合金が使用されてあると共に、前記回転軸の表面に、貴陽石（商標出願中）の粉体を混入させた塗装皮膜あるいはコーティング皮膜が形成されてあることを特徴とする掃除機用床ノズルの回転ロータ。
【請求項４】
請求項１あるいは２記載の構成よりなる掃除機用床ノズルの回転ロータにおいて、前記清掃体の材料に、可撓性を有するゴムあるいはプラスチック等の軟質合成樹脂が使用されてあることを特徴とする掃除機用床ノズルの回転ロータ。
【請求項５】
請求項１あるいは２記載の構成よりなる掃除機用床ノズルの回転ロータにおいて、前記回転軸あるいは前記ブラケットは、貴陽石（商標出願中）の粉体を焼結させるかあるいは樹脂バインダーにて固着させて形成されてあることを特徴とする掃除機用床ノズルの回転ロータ。
【発明の詳細な説明】
【０００１】
【発明の属する技術分野】
本発明は、掃除機用床ノズルに使用する回転ロータに関するものである。
【０００２】
【従来の技術】
従来の回転ロータを、以下図１及び図２を用いて説明する。
【０００３】
従来の掃除機用床ノズルに使用する回転ロータに関しては、様々な改良がなされ、例えば、図１の如く、回転ロータ１を構成するロータ２に形成された支持溝３にたいして、清掃体４を中央部にて略対称になるよう挿入固定する技術が、特開２０００−３３３８８８号にて開示されてある。また、例えば、図２の如く、回転ロータ１１を構成するブラケット１５の外周面等に起毛布１６が形成されてある技術が、特開２００２−１４３０４５号にて開示されてある。
【０００４】
【発明が解決しようとする課題】
従来の掃除機用床ノズルに使用する回転ロータにおいては、上記の如くの様々な改良を実施して、床面に付着している塵埃等を清掃していた。ところで、一般には、塵埃等は、プラスイオンに帯電している為、例えば、フローリングの上や、溝に入った細かい塵埃等が、床ノズルにて吸い込むことができず、残ってしまうという課題を有していた。その為、プラスイオンに帯電している塵埃等を、回転ロータに付着させて、床ノズルに吸い込み、清掃する技術が求められていた。
【０００５】
【課題を解決するための手段】
本発明は、次のように構成したものである。
（１）床面に付着している塵埃を吸引する為の掃除機用床ノズルの回転ロータにおいて、前記回転ロータは、ブラシ、起毛布あるいはブレードからなる清掃体、回転軸、及びブラケットより形成されてあると共に、前記清掃体、前記回転軸、及び前記ブラケットのいずれかの材料に、貴陽石（商標出願中）の粉体が練り込んで使用されてあるものである。
【０００６】
（２）上記（１）記載の構成よりなる掃除機用床ノズルの回転ロータにおいて、前記清掃体、前記回転軸、及び前記ブラケットのいずれかの表面に、貴陽石（商標出願中）の粉体を混入させた塗装皮膜あるいはコーティング皮膜が形成されてあるものである。
【０００７】
（３）上記（１）あるいは（２）記載の構成よりなる掃除機用床ノズルの回転ロータにおいて、前記回転軸の材料に、樹脂あるいはアルミ合金が使用されてあると共に、前記回転軸の表面に、貴陽石（商標出願中）の粉体を混入させた塗装皮膜あるいはコーティング皮膜が形成されてあるものである。
【０００８】
（４）上記（１）あるいは（２）記載の構成よりなる掃除機用床ノズルの回転ロータにおいて、前記清掃体の材料に、可撓性を有するゴムあるいはプラスチック等の軟質合成樹脂が使用されてあるものである。
【０００９】
（５）上記（１）あるいは（２）記載の構成よりなる掃除機用床ノズルの回転ロータにおいて、前記回転軸あるいは前記ブラケットは、貴陽石（商標出願中）の粉体を焼結させるかあるいは樹脂バインダーにて固着させて形成されてあるものである。
【００１０】
【発明の実施の形態】
実施の形態１
図３から図７に実施の形態１を示す。図３は、本発明の実施の形態１の掃除機用床ノズルの回転ロータを示す正面図である。図３において、２１は回転ロータ、２２はロータ、２３は支持溝、２４、２７は清掃体、２５、２６はブラケットである。図４は、図３に使用するロータの断面図である。図４において、９は粉体である。図５及び図６は、図３に使用する清掃体の断面図である。図５において、１０は粉体、２４は清掃体、２８は基布、２９はブラシである。図６において、２０は粉体、２７は清掃体である。図７は、図３に使用するブラケットの断面図である。図７において、２６はブラケット、３０は粉体である。
【００１１】
本発明の掃除機用床ノズルの回転ロータは、図３の如く、ロータ２２、清掃体２４、２７、及びブラケット２５、２６より形成されてある。ロータ２２は、金属製の概円筒形状であり、外周には、ロータ２２の長手方向の軸の周りに捩りを加えて、円周等分４箇所に支持溝２３が形成されてある。また、清掃体２４、２７は、支持溝２３にたいして、円周等分４箇所に各２個ずつ形成されるよう挿入固定されてある。ブラケット２５、２６は、ロータ２２にたいして、両端から挟み込むように挿入固定されてある。
【００１２】
ロータ２２は、図４の如く、金属にたいして、所定重量％の粉体９を練り込んだ後、押出し成形されて製作されてある。粉体９の材質としては、貴陽石（商標出願中）の粉体が使用されてある。貴陽石は、天然の長石の一種であり、主成分は含水珪酸アルミニウムである。また、貴陽石は、群馬県利根郡にある群馬長石御座入鉱山にて産出されている。
【００１３】
貴陽石は、振動が加えられるとマイナスイオンを発生する性質を有している。特に、ある特定の周波数の振動が加えられると、大量のマイナスイオンを発生する性質を有している。マイナスイオンの発生量は、最大で、約２４０００個／ｃｃが測定されてあり、黒曜石、岐阜麦飯石、トルマリン、竜王石、医王石などのマイナスイオンを発生する他の鉱物に比べて、極めて多い発生量を有している。また、貴陽石は、常温にて遠赤外線を放射する性質を有している。遠赤外線放射率は、例えば、２５℃の測定温度にて約９６％が測定されている。
【００１４】
また、清掃体２４は、図５の如く、基布２８の上面にブラシ２９が植毛されて形成されてある。前記の如くの構成は、一般には起毛布と呼ばれている。基布２８は、生地にたいして、所定重量％の粉体１０を練り込んで生地を製作後、織り込んで形成されてある。また、ブラシ２９は、毛材にたいして、所定重量％の粉体１０を練り込んで毛材を製作後、植毛して形成されてある。粉体１０の材質としては、貴陽石（商標出願中）の粉体が使用されてある。
【００１５】
また、清掃体２７は、図６の如く、樹脂を成形して製作されてある。清掃体２７は、樹脂にたいして、所定重量％の粉体２０を練り込んで樹脂を製作後、成形して形成されてある。粉体２０の材質としては、貴陽石（商標出願中）の粉体が使用されてある。
【００１６】
また、ブラケット２６は、図７の如く、樹脂を成形して製作されてある。ブラケット２６は、樹脂にたいして、所定重量％の粉体３０を練り込んで樹脂を製作後、成形して形成されてある。粉体３０の材質としては、貴陽石（商標出願中）の粉体が使用されてある。ブラケット２５については、図示を割愛するが、ブラケット２６と同じ要領にて、製作されてある。
【００１７】
回転ロータ２１は、床ノズルの使用時には、通常、例えば、１０００ｒｐｍから４０００ｒｐｍ程度にて回転し、清掃体２４、２７が床面に当接し、塵埃等を掻きあげて清掃する。その時、清掃体２４、２７には、床面に当接する衝撃力と回転により、振動が発生する。また、ロータ２２及びブラケット２５、２６についても、同様に振動が発生する。
【００１８】
本発明の実施の形態１の掃除機用床ノズルの回転ロータは、上記の如くの構成となっているので、床ノズルの使用時には、回転ロータ２１が回転し、ロータ２２、清掃体２４、２７、及びブラケット２５、２６の材料に所定重量％練り込まれた貴陽石（商標出願中）の粉体から、マイナスイオンが発生する。その時、発生したマイナスイオンが、プラスイオンに帯電している塵埃等を吸着させることができる為、塵埃等は、回転ロータに付着した後、床ノズルに吸い込まれ、清掃することができる。また、粉体は、ロータ２２、清掃体２４、２７、及びブラケット２５、２６の材料に所定重量％練り込まれて形成されてある為、床面等への接触による摩擦により、粉体が脱落する事が無い。
【００１９】
本発明の実施の形態１の掃除機用床ノズルの回転ロータは、上記の如くの構成となっているが、清掃体、回転軸、及びブラケットの材質等については、目的に応じて、貴陽石（商標出願中）の粉体を、練り込むことが可能である材質の中から、最適な材質を選定の上、使用しても、何ら支障は無い。
【００２０】
実施の形態２
図８から図１１に実施の形態２を示す。図８は、本発明の実施の形態２の掃除機用床ノズルの回転ロータに使用する清掃体の断面図である。図８において、３３は皮膜、３４は清掃体、３５は粉体、３８は基布、３９はブラシである。図９は、本発明の実施の形態２の掃除機用床ノズルの回転ロータに使用する清掃体の断面図である。図９において、３７は清掃体、４０は粉体、４３は皮膜である。図１０は、本発明の実施の形態２の掃除機用床ノズルの回転ロータに使用するブラケットの断面図である。図１０において、３６はブラケット、４５は粉体、５３は皮膜である。図１１は、本発明の実施の形態２の掃除機用床ノズルの回転ロータに使用するロータの断面図である。図１１において、３２はロータ、５０は粉体、６３は皮膜である。
【００２１】
本発明の実施の形態２の掃除機用床ノズルの回転ロータに使用する清掃体は、図８の如く、基布３８の上面にブラシ３９が植毛されて形成されてある。基布３８及びブラシ３９の表面には、塗装処理あるいはコーティング処理をした皮膜３３が形成されてある。皮膜３３は、塗装材料あるいはコーティング材料にたいして、所定重量％の粉体３５を練り込んだ後、形成されてある。粉体３５の材質としては、貴陽石（商標出願中）の粉体が使用されてある。
【００２２】
また、清掃体３７は、図９の如く、樹脂を成形して製作されてある。清掃体３７の表面には、塗装処理あるいはコーティング処理をした皮膜４３が形成されてある。皮膜４３は、塗装材料あるいはコーティング材料にたいして、所定重量％の粉体４０を練り込んだ後、形成されてある。粉体４０の材質としては、貴陽石（商標出願中）の粉体が使用されてある。
【００２３】
また、ブラケット３６は、図１０の如く、樹脂を成形して製作されてある。ブラケット３６の表面には、塗装処理あるいはコーティング処理をした皮膜５３が形成されてある。皮膜５３は、塗装材料あるいはコーティング材料にたいして、所定重量％の粉体４５を練り込んだ後、形成されてある。粉体４５の材質としては、貴陽石（商標出願中）の粉体が使用されてある。
【００２４】
さらにまた、ロータ３２は、図１１の如く、金属製の概円筒形状であり、ロータ３２の表面には、塗装処理あるいはコーティング処理をした皮膜６３が形成されてある。皮膜６３は、塗装材料あるいはコーティング材料にたいして、所定重量％の粉体５０を練り込んだ後、形成されてある。粉体５０の材質としては、貴陽石（商標出願中）の粉体が使用されてある。
【００２５】
本発明の実施の形態２の掃除機用床ノズルの回転ロータは、上記の如くの構成となっているので、床ノズルの使用時には、回転ロータの回転により、ロータ３２、清掃体３４、３７、及びブラケット３６の表面に形成された皮膜の材料に所定重量％練り込まれた貴陽石（商標出願中）の粉体から、マイナスイオンが発生する。その時、発生したマイナスイオンは、プラスイオンに帯電している塵埃等を吸着させることにより、塵埃等を回転ロータに付着させた後、床ノズルに吸い込み、清掃することができる。また、皮膜は、塗装処理あるいはコーティング処理にて形成されてある為、安価かつ容易に、粉体を回転ロータの表面に形成させることができる。
【００２６】
本発明の実施の形態２の掃除機用床ノズルの回転ロータは、上記の如くの構成となっているが、塗装処理あるいはコーティング処理をした皮膜の材料については、目的に応じて、貴陽石（商標出願中）の粉体を、練り込むことが可能である材料の中から、最適な材料を選定の上、使用しても、何ら支障は無い。
【００２７】
実施の形態３
図１２及び図１３に実施の形態３を示す。図１２は、本発明の実施の形態３の掃除機用床ノズルの回転ロータに使用するロータを、前面側から見た斜視図である。図１２において、４２はロータ、６３は皮膜である。図１３は、図１２のロータの断面図である。図１３において、５５は粉体である。
【００２８】
本発明の実施の形態３の掃除機用床ノズルの回転ロータに使用するロータは、図１２の如く、樹脂製あるいはアルミ合金製の概円筒形状であり、ロータ４２の表面には、塗装処理あるいはコーティング処理をした皮膜６３が、形成されてある。皮膜６３は、塗装材料あるいはコーティング材料にたいして、所定重量％の粉体５５を練り込んだ後、形成されてある。粉体５５の材質としては、貴陽石（商標出願中）の粉体が使用されてある。
【００２９】
本発明の実施の形態３の掃除機用床ノズルの回転ロータは、上記の如くの構成となっているので、回転ロータの重量を軽くすることができる。
【００３０】
実施の形態４
図１４に実施の形態４を示す。図１４は、本発明の実施の形態４の掃除機用床ノズルの回転ロータに使用する清掃体を、前面側から見た斜視図である。図１４において、４７は清掃体である。
【００３１】
本発明の実施の形態４の掃除機用床ノズルの回転ロータに使用する清掃体は、図１４の如く、概平板形状を形成していて、材料には、可撓性を有するゴムあるいはプラスチック等の軟質合成樹脂が使用されてある。清掃体４７は、軟質合成樹脂にたいして、所定重量％の粉体を練り込んだ後、成形して形成されてある。あるいは、清掃体４７は、表面に、塗装処理あるいはコーティング処理をした皮膜が、形成されてある。皮膜は、塗装材料あるいはコーティング材料にたいして、所定重量％の粉体を練り込んだ後、形成されてある。粉体の材質としては、貴陽石（商標出願中）の粉体が使用されてある。
【００３２】
本発明の実施の形態４の掃除機用床ノズルの回転ロータは、上記の如くの構成となっているので、清掃体が床面にたいして、柔軟かつ迅速に当接し、塵埃を残す事無く、清掃することができる。
【００３３】
実施の形態５
図１５から図１８に実施の形態５を示す。図１５及び図１７は、本発明の実施の形態５の掃除機用床ノズルの回転ロータに使用するロータの断面図である。図１５において、４９はバインダー、５２はロータ、６０は粉体である。図１７において、６２はロータである。図１６及び図１８は、本発明の実施の形態５の掃除機用床ノズルの回転ロータに使用するブラケットの断面図である。図１６において、４６はブラケット、５９はバインダー、６５は粉体である。図１８において、５６はブラケットである。
【００３４】
本発明の実施の形態５の掃除機用床ノズルの回転ロータは、図１５の如くのロータ５２、及び図１６の如くのブラケット４６が使用されてある。ロータ５２は、粉体６０を、樹脂バインダーにて固着させて形成されてある。ブラケット４６は、粉体６５を、樹脂バインダーにて固着させて形成されてある。あるいは、本発明の実施の形態５の掃除機用床ノズルの回転ロータは、図１７の如くのロータ６２、及び図１８の如くのブラケット５６が使用されてある。ロータ６２は、粉体６０を、焼結させて形成されてある。ブラケット５６は、粉体６５を、焼結させて形成されてある。粉体６０及び６５の材質としては、貴陽石（商標出願中）の粉体が使用されてある。
【００３５】
本発明の実施の形態５の掃除機用床ノズルの回転ロータは、上記の如くの構成となっているので、マイナスイオンを、大量に発生させることができる。
【００３６】
【発明の効果】
以上の説明から明らかなように、本発明の実施の形態の掃除機用床ノズルの回転ロータは、次に示すような効果を得ることができる。なお、説明にあたっては、請求項の番号と同じ番号を付して説明する。
【００３７】
（１）床ノズルの使用時には、回転ロータが回転し、ロータ、清掃体、及びブラケットの材料に所定重量％練り込まれた貴陽石（商標出願中）の粉体から、マイナスイオンが発生する。その時、発生したマイナスイオンが、プラスイオンに帯電している塵埃等を吸着させることができる為、塵埃等は、回転ロータに付着した後、床ノズルに吸い込まれ、清掃することができる。また、粉体は、ロータ、清掃体、及びブラケットの材料に所定重量％練り込まれて形成されてある為、床面等への接触による摩擦により、粉体が脱落する事が無い。
【００３８】
（２）床ノズルの使用時には、回転ロータの回転により、ロータ、清掃体、及びブラケットの表面に形成された皮膜の材料に所定重量％練り込まれた貴陽石
（商標出願中）の粉体から、マイナスイオンが発生する。その時、発生したマイナスイオンは、プラスイオンに帯電している塵埃等を吸着させることにより、塵埃等を回転ロータに付着させた後、床ノズルに吸い込み、清掃することができる。また、皮膜は、塗装処理あるいはコーティング処理にて形成されてある為、安価かつ容易に、粉体を回転ロータの表面に形成させることができる。
【００３９】
（３）回転ロータの重量を軽くすることができる。
【００４０】
（４）清掃体が床面にたいして、柔軟かつ迅速に当接し、塵埃を残す事無く、清掃することができる。
【００４１】
（５）マイナスイオンを、大量に発生させることができる。
【図面の簡単な説明】
【図１】従来の掃除機用床ノズルに使用する回転ロータを前面側から見た斜視図である。
【図２】従来の掃除機用床ノズルに使用する回転ロータを示す正面図である。
【図３】本発明の実施の形態１の掃除機用床ノズルの回転ロータを示す正面図である。
【図４】図３に使用するロータの断面図である。
【図５】図３に使用する清掃体の断面図である。
【図６】図３に使用する清掃体の断面図である。
【図７】図３に使用するブラケットの断面図である。
【図８】本発明の実施の形態２の掃除機用床ノズルの回転ロータに使用する清掃体の断面図である。
【図９】本発明の実施の形態２の掃除機用床ノズルの回転ロータに使用する清掃体の断面図である。
【図１０】本発明の実施の形態２の掃除機用床ノズルの回転ロータに使用するブラケットの断面図である。
【図１１】本発明の実施の形態２の掃除機用床ノズルの回転ロータに使用するロータの断面図である。
【図１２】本発明の実施の形態３の掃除機用床ノズルの回転ロータに使用するロータを、前面側から見た斜視図である。
【図１３】図１２のロータの断面図である。
【図１４】本発明の実施の形態４の掃除機用床ノズルの回転ロータに使用する清掃体を、前面側から見た斜視図である。
【図１５】本発明の実施の形態５の掃除機用床ノズルの回転ロータに使用するロータの断面図である。
【図１６】本発明の実施の形態５の掃除機用床ノズルの回転ロータに使用するブラケットの断面図である。
【図１７】本発明の実施の形態５の掃除機用床ノズルの回転ロータに使用するロータの断面図である。
【図１８】本発明の実施の形態５の掃除機用床ノズルの回転ロータに使用するブラケットの断面図である。
【符号の説明】
１、１１、２１　回転ロータ
２、１２、２２、３２、４２、５２、６２　ローター
３、１３、２３　支持溝
４、１４、２４、２７、３４、３７、４７　清掃体
５、１５、２５、２６、３６、４６、５６　ブラケット
９、１０、２０、３０、３５、４０、４５、５０、５５、６０、６５　粉体　１６　起毛布　２８、３８　基布　２９、３９　ブラシ
３３、４３、５３、６３、７３　皮膜　４９、５９　バインダー
【図１】
2004121795.tif 000003
【図２】
2004121795.tif 000004
【図３】
2004121795.tif 000005
【図４】
2004121795.tif 000006
【図５】
2004121795.tif 000007
【図６】
2004121795.tif 000008
【図７】
2004121795.tif 000009
【図８】
2004121795.tif 000010
【図９】
2004121795.tif 000011
【図１０】
2004121795.tif 000012
【図１１】
2004121795.tif 000013
【図１２】
2004121795.tif 000014
【図１３】
2004121795.tif 000015
【図１４】
2004121795.tif 000016
【図１５】
2004121795.tif 000017
【図１６】
2004121795.tif 000018
【図１７】
2004121795.tif 000019
【図１８】
2004121795.tif 000020